(57)【要約】【課題】  梱包具に出っ張りを生じさせずに品物を収容する。【解決手段】少なくとも対のカバーボード１，２の組合せを有している。対のカバーボード１，２は、間に梱包物品を挟んで保持させるものであり、少なくとも一方のカバーボード２には、収納溝５ｂが開口されている。収納溝５ｂは、ボードの厚みの範囲内の厚みを有する溝であり、他方のカバーボード１に向き合う側のボード面には、収納溝５ｂを覆って伸縮性を有するカバーフィルム６が貼り付けられている。カバーフィルム６は、透明であり、伸縮性を有し、物品Ｍの形状を象って伸び、収納溝５ｂ内に張り出した物品Ｍの表面を覆い、他のカバーボード１側に圧接して定位置に保持させる。第１のカバーボード１と、第２のカバーボード２との開放縁は封止する。【選択図】  図２
2006123922.tif 000002
【特許請求の範囲】
【請求項１】
少なくとも対のカバーボードの組合せを有するメール便用梱包具であって、
対のカバーボードは、その間に梱包物品を挟んで保持させるものであり、少なくとも一方のカバーボードには、収納溝が開口され、
収納溝は、ボードの厚みの範囲内の厚みを有する梱包物品を収納する溝であり、他のカバーボードに向き合う側のボード面には、収納溝の開口を覆って伸縮性を有するカバーフィルムが貼り付けられ、
カバーフィルムは、透明であり、伸縮性を有し、収納溝内の梱包物品の形状を象って伸び、収納溝内に張り出した物品の表面を覆い、他のカバーボード側に圧接して間定位置に固定させるものであり、
両カバーボードの開放縁は封止されるものであることを特徴とするメール便用梱包具。
【請求項２】
２層以上のカバーボードのうち、最下層のカバーボードには、収納溝がなく、上層のカバーボードのカバーフィルムに覆われた梱包物品を支えるものであることを特徴とする請求項１に記載のメール便用梱包具。
【請求項３】
対のカバーボードの板面にはいずれもカバーフィルムに覆われた収納溝が開口され、
両カバーボードのカバーフィルムは、それぞれの収納溝内に張り出した梱包物品を圧着して定位置に保持させるものであることを特徴とする請求項１に記載のメール便用梱包具。
【請求項４】
対のカバーボードと少なくとも１枚以上のスペーサボードとの組合せを有し、
スペーサボードは、カバーボードの収納溝と対応する位置に物品の受入れ溝を有し、
物品の受入溝は、カバーフィルムに覆われてカバーボードの収納溝から更に張り出した物品の張り出し部分を受け入れるものであることを特徴とする請求項１，２又は３に記載のメール便用梱包具。
【請求項５】
２種類以上の収納溝を有するメール便用梱包具であって、
第１の収納溝は、カバーボードに積層されるすべてのカバーボードおよびスペーサボードに開口されたものであり、
第２の収納溝は、最上層のスペーサボードによって塞がれているものであることを特徴とする請求項２に記載のメール便用梱包具。
【請求項６】
対のカバーボードを含む少なくとも２以上のボードの組合せは、１枚のボードの板面を折り畳み可能に区画したものであり、
カバーボードを含む２以上のボードは、ボードの板面の同じ側の面に順次折り返してメール便用梱包具に組み立てられるものであることを特徴とする請求項１，２，３，４又は５に記載のメール便用梱包具。
【請求項７】
対のカバーボードを含む少なくとも２以上のボードの組合せは、少なくとも２枚のボードをパーツとして組み合わせたものであることを特徴とする請求項１，２，３，４又は５に記載のメール便用梱包具。
【請求項８】
２種類以上の収納溝を有するメール便用梱包具であって、
第１の収納溝は、最下層のカバーボードに積層されるすべてのカバーボードに開口されたものであり、
第２の収納溝は、最下層と最上層のカバーボードを除く中間層のカバーボードに開口されているものであることを特徴とする請求項２に記載のメール便用梱包具。
【発明の詳細な説明】
【技術分野】
【０００１】
本発明は宅配便、特にメール便に使用して好適な宅配運送用梱包具に関する。
【背景技術】
【０００２】
宅配便の普及に伴い、宅配便においても普通郵便と同じように送り先のポストに投函して配達が完了するいわゆる「メール便」が採用されるようになり、メール便は、カタログ、商品サンプル、ネットオークションの品物などの品物の配送に盛んに活用されるようになってきた。
【０００３】
メール便とは、宅配便のネットワークを活用して荷物を配送するシステムであり、従来の宅配便との違いは品物は送り先に手渡しで配送するのではなく、郵便ポストに入れるという配送方法を取っている点である。郵便ポストに投函する配送方法は郵便物と同じであるが、メール便を利用できるものとして、Ｙ運輸のホームページには、例えばＣＤ・ＣＶＤ、文庫本、雑誌など書籍類、写真、カタログ、商品サンプル、ポスター・カレンダー、ネットオークションの品物、サークルの会誌などが例示され、手紙、葉書、請求書、納品書などの信書、有価証券類、再発行が困難なもの、再生不可能なもの、カード類などが取り扱いできない荷物として例示されている。
【０００４】
したがって、「信書」である「手紙」はメール便の荷物として扱うことができないという点が郵便物との大きな違いになっている。また、メール便の対象となる荷物の大きさについても制約があり、Ｙ運輸の取扱い規定では、メール便の対象となる荷物の大きさは３辺合計で７０ｃｍ以下、厚さ２ｃｍ以下、長辺４０ｃｍ以下となっている。したがって、メール便で送る荷物の厚さは、２ｃｍ以内に限られるが、その荷物の梱包には、メール便といえども、郵便物と同じような角封筒が通常使用される。
【０００５】
このようにメール便には、郵便に比べて制約があるものの、従来は、郵便と扱いは同じと考えられていた。たとえば、特許文献１には、送信の時は宅配便で配達し、返信の時は郵便で配達できるようにして費用並びに資源の無駄をなくすことを目的として角形封筒の一方の片側に宅配伝票もしくは宛名シール、インクジェットプリンタによる印字を行い、もう一方の片側に郵便情報を予め印刷しておいて使用する角封筒が記載されている。
【０００６】
この例をみて分かるようにメール便に使用する封筒には、ＣＤ・ＣＶＤ，文庫本などのメール便を利用する配送に格別の工夫がなされているわけではない。しかし、角型のケース内に収容したＣＤ・ＣＶＤなどの品物を封筒に収容すると、封筒の紙面にはケースの形状を象って段差が生じ、その角が封筒を突き破り、甚だしいときには、品物が封筒から脱落する危険があった。このような危険を避けるには、封筒には、丈夫な材質の紙を使用しなければならないが、いくら丈夫な封筒を使用しても、封筒内で品物の形状を象って封筒に生じた段差のために、その角が他の配送物を傷つけたり、配送中に受ける振動や衝撃によって封筒内で品物が移動して安定せず、他の同封物を傷つけたり、更には品物自体が破損する危険は避けることができない。
【特許文献１】特許公開２００３−３４１６８５
【発明の開示】
【発明が解決しようとする課題】
【０００７】
解決しようとする問題点は、メール便はカタログ、商品サンプル、ＣＤ，ＤＶＤ，文庫本，雑誌などの配送に活用されるものであるにもかかわらず、その品物は、手紙などの信書と同じように扱って角形封筒に封入されるため、収容物品に厚みがあれば、封筒を破損させるおそれがあり、あるいは封筒を通して加えられる衝撃によって品物が破損するおそれがあるという点である。
【課題を解決するための手段】
【０００８】
本発明は、メール便用梱包具に出っ張りを生じさせずに規定の厚みの範囲内に抑えて品物を収容し、しかも伸縮性カバーフィルムにて収納物品を押さえつけてボードの一定位置に固定することを最も主要な特徴とする。
【発明の効果】
【０００９】
本発明のメール便用梱包具は、一定の厚みを有するボードの収納溝に張られたカバーフィルムで収納物品を押さえ付けるために、配送中に物品がずれることがなく、物品の厚みは、必要枚数を重ねたボードの厚みの範囲内に収まるために、物品が梱包具の表面に張り出すことが無い。
【発明を実施するための最良の形態】
【００１０】
物品を梱包具のボードに固定し、一定の厚みに梱包するという目的を、ボードの積層と、ボードの物品収納溝の口縁に張り渡した伸縮性カバーフィルムとの組合せにより、梱包具の表面に張り出させずに実現した。
【実施例１】
【００１１】
図１は、本発明によるメール使用梱包具（以下梱包具という）の基本形を示す図である。図１において、本発明による梱包具は、対のカバーボード（以下第１のカバーボード１、第２のカバーボード２として区別する）の組合せを基本構成とするもので、後に説明するようにカバーボード１又は２上に積層するスペーサボードを一層または２層以上組み合わせたものも含まれるものである。図１には、第１のカバーボード１、第２のカバーボード２に更に第１のスペーサボード３、第２のスペーサボード４を組み合わせた例を示しているが、実施例１は、第１のカバーボード１と、第２のカバーボードボード２との組合せによる梱包具である。なお、カバーボードの第１，第２の区別は説明の都合上のもので、いずれが第１，第２であっても構わない。
【００１２】
第１のカバーボード１及び第２のカバーボード２は、一定厚みを有する１枚のボードを区画して互いに一辺で折り畳み可能に形成したものであり、この例では第１のカバーボード１及び第２のカバーボード２に２つ折りに折り曲げた厚さ５ｍｍのダンボール紙を用い、長辺側を３０ｃｍ、短辺側を２２ｃｍに設定しているが、メール便の大きさの規定の範囲内であれば、その大きさは何ら限定されるものではない。    
【００１３】
この実施例において、第２のカバーボード２には、物品を収納するための収納溝５が板面にあけられ、第１のカバーボード１に重ね合わせる側（内面側）の板面には、収納溝５の開口を覆って伸縮性を有するカバーフィルム６が貼り付けられている。カバーフィルム６には、透明ウレタンシートが望ましい。ウレタンシートは、伸縮性に富み、切り裂き強度が大きい。実施例１では、第１のカバーボード１には、梱包物品を支える梱包具の本体部分に利用している。第２のカバーボード２は、第１のカバーボード１上の梱包物品を覆う部分である。
【００１４】
図２（ａ）において、物品Ｍの梱包に際しては、第２のカバーボード２と第１のカバーボード１との連結部分を蝶番７として第２のカバーボード２を開いた状態で、第２のカバーボード２の収納溝５の範囲内に位置を合わせて第１のカバーボード１の板面に収納すべき物品Ｍを置き、図２（ｂ）のように第１のカバーボード１上に第２のカバーボード２を重ね合わせる。これによって物品Ｍは第２のカバーボード２の収納溝５内に張り出してその厚みの範囲内に収まり、収納溝５に張られたカバーフィルム６は、物品Ｍの形状を象って伸び、物品Ｍの表面を覆うとともに物品Ｍを第１のカバーボード１の板面に押し付けてこれを定位置に固定させる。
【００１５】
配送に際しては、蝶番７に対向する第１のカバーボード１と第２のカバーボード２との開放縁に粘着テープ８を貼り付けて封止するほか、必要によりさらに他の２辺の開放縁を粘着テープ８にて封止することができる。この結果、収納された物品Ｍは、梱包された状態で物品収納溝５を通して外部から観察される。第１のカバーボード１及び第１カバーボード２に厚さが５ｍｍのボードを用いたときには、収納物品Ｍの厚みは５ｍｍ以下でなければならない。
【実施例２】
【００１６】
実施例１の梱包具では、収納する物品Ｍの厚みが５ｍｍを越えると物品Ｍの表面が第１のカバーボード1の板面より上方に突出する。厚みが５〜１０ｍｍの範囲内の物品を収納するには、図３（ａ）に示す梱包具を用いる。この梱包具は、第１のカバーボード１と第２のカバーボード２との組合せのほかに第１のスペーサボード３を付加した例である。この例では、第１のスペーサボード３を第１のカバーボード１の端縁に折り畳み可能に形成している。すなわち、第１のカバーボード１を挟んでその左側に第２のカバーボード２、右側に第１のスペーサボード３とを折り畳み可能に一体に設けている。
【００１７】
第１のスペーサボード３には、第２のカバーボード２の収納溝５（５ｂ）と位置を合わせて収納溝５ｂと同じ形状の受入溝５ｃを開けているが、第１のスペーサボード３の受入溝５ｃは、開口されたままでカバーフィルムは貼り付けられていない。この例では、第１のカバーボード１上に物品Ｍを置き、図２（ａ）と同様にその上にまず第２カバーボード２を重ねて収納溝５ｂのカバーフィルム６で物品Ｍを第１のカバーボード１に押し付け、更にその上に第１のスペーサボード３を重ねる。これによって、図３（ｂ）に示すように第１カバーボード２の収納溝５ｂと、第１のスペーサボード３の受入溝５ｃとの位置が合致し、物品Ｍの張り出し部分は第２のカバーボード２の収納溝５ｂと、第１のスペーサボード３の受入溝５ｃ内に受け入れられ、第２のカバーボード２と第１のスペーサボード３の積層厚み（１０ｍｍ）の範囲内に収められる。第１のカバーボード１と、第１のスペーサボード３間の開放縁は、粘着テープなどを用いて封止する。
【実施例３】
【００１８】
図４（ａ）は、実施例２の梱包具の第１のスペーサボード３の右側にさらに第２のスペーサボード４を付加した例である。第２のスペーサボード４には、第２のカバーボード２の収納溝５ｂと位置を合わせて収納溝５ｂと同じ形状の受入溝５ｄを開けているが、第２のスペーサボード４の受入溝５ｄには受入溝５ｃと同様にカバーフィルムは貼り付けられていない。この例では、第１のカバーボード１の板面に物品Ｍを載せたあと、図４（ｂ）のように第２のカバーボード２を重ね、第１のスペーサボード３に第２のスペーサボード４をあらかじめ重ねておいて、第２のスペーサボード４を重ねたままで第１のスペーサボード３を第２のカバーボード２側に折り返して第２のカバーボード２上に第２のスペーサボード４、第１のスペーサボード３の順に重ねる。この結果、物品Ｍはカバーフィルム６で覆われた状態で、第２のカバーボード２の収納溝５ｂ及び第１及び第２のスペーサボード３，４の受入溝５ｃ、５ｄ内に張り出し、各ボードの積層の範囲内に収められる。具体的には、第１のカバーボード１上には各５ｍｍの厚みの第２のカバーボード２、第２のスペーサボード４、第１のスペーサボード３の３枚のボードが重ねられて合計１５ｍｍの厚みの溝が形成され、溝内には、厚さ最大１５ｍｍの物品Ｍの収納が可能となる。第１のカバーボード１と、第２のカバーボード２及び第１のスペーサボード３の積層間は、粘着テープなどを用いて封止する。
【００１９】
この場合にも、物品Ｍは、第２のカバーボード２に取り付けられたカバーフィルム６に抑えられて第１のカバーボード１に圧着、固定されるのは前実施例と同じである。以上実施例においては、１枚のボードに、第１のカバーボードと第２のカバーボードまたは、第１，第２のカバーボードと第１のスペーサボード、更には第１，第２のカバーボードと第１，第２のスペーサボードを横一連に区画形成した例を説明したが、第２のカバーボード、第２のスペーサボードは必ずしも第１のカバーボードと横１連に形成する場合に限らない。
【実施例４】
【００２０】
図５（ａ）は、横１列に形成した第１のカバーボード１と第２のカバーボード２との組と、第１のスペーサボード３と、第２のスペーサボード４との組とを並列に配列し、第１のカバーボード１と、第１のスペーサボード３、第２のカバーボード２と第２のスペーサボード４とをそれぞれ互いに向き合わせ、第１のカバーボード１と、第１のスペーサボード３間を接続し、第２のカバーボード２と第２のカバーボード４間を切り離した例である。第２のカバーボード２の収納溝５ｂには、カバーフィルム６が貼り付けられているが、第１のスペーサボード３と、第２のスペーサボード４の各受入溝５ｃ、５ｄには、前実施例と同様にフィルムは貼り付けられていない。
【００２１】
この梱包具を使用するときには、図５（ｂ）のように第１のカバーボード１上に物品Ｍを置き、その上に第２のカバーボード２を重ね合わせる。一方、第２のスペーサボード４を第１のスペーサボード３上に予め折り返しておき、これを図５（ｃ）のようにそのまま第２のスペーサボード４を第２のカバーボード２上に折り返す。これによって、図４（ｂ）に示す梱包具と同じ積層構造となる。
【実施例５】
【００２２】
本発明においては、ボードの面に２以上の収納溝を設けることもでき、その場合に１つの収納溝をふさぐこともできる。図６（ａ）は、第２のカバーボード２、第１のスペーサボード３、第２のスペーサボード４にそれぞれ第１の物品収納溝５ｂ、及び受入溝５ｃ、５ｄを形成し、第２のカバーボード２に受入溝９ａ、第２のスペーサボード４に第２の受入溝９ｂを開口した例である。図６（ｂ）に示すように実施例２と同じ要領でボードを折り曲げて梱包具に組み立てる。図６（ｃ）のように第１の収納溝５ｂ及び受入溝５ｃ、５ｄ内に収容された物品Ｍ１は、外部から透視され、受入溝９ａおよび９ｂ内に収納された物品Ｍ２は、外部から見ることができない。
【００２３】
この例において、第１の収納溝５ｂ及び受入溝５ｃ、５ｄ内に収容された物品Ｍ１は、第１カバーボードのカバーフィルム６で抑えるのは、前実施例と同じであるが、受入溝９ａ、９ｂに収容された物品Ｍ２は、脱落することが無いので必ずしもカバーフィルムで抑える必要はない。なお、以上実施例３〜５において、第１のスペーサボードと、第２のスペーサーボートの区別についても専ら説明の都合上の区別であって、いずれを第１としてもかまわない。また、第１のスペーサボード３と、第２のスペーサボード４とは折り方の順序を変えることによって、第１のスペーサボード３と第２のスペーサボード４との上下が入れ替わるようなボードの折り方が可能である。
【００２４】
しかし、第１のカバーボードと、第２のカバーボードを含む２層以上のカバーボードとの組合せを１枚の段ボール紙の板面を折り畳み可能に区画することによって形成したものであるときには、第１のカバーボードと、第２のカバーボードを含む２層以上のカバーボードを段ボール紙の板面の同じ側の面に順次折り返して折り曲げるように折り曲げ線を付すのがボードを梱包具に加工するうえに有利であり、また、折り曲げ作業も容易である。
【実施例６】
【００２５】
図７は、それぞれ１枚ずつの第１、第２のカバーボード１，２及び第１、第２のスペーサボード３，４を順次重ね合わせて梱包具を組み立てる例である。この例においても、第１のカバーボード１の板面に置かれた物品Ｍは、第２のカバーボード２のカバーフィルム６で覆われてその収納溝５ｂと、第１および第２のスペーサボードの受入溝５ｃ、５ｄ内に張り出し、各ボードの積層の高さの範囲内に受け入れられる。梱包具は、第１、第２のカバーボード１，２の組合せでも良く、また、第１，第２のカバーボード１，２と第１のスペーサボード３との組合せであってもよい。積層されたボードは、粘着テープ８によって封止される。
【００２６】
図８は、第１のカバーボード１と、第２のスペーサボード４とを開閉可能に連結し、その間に、第２のカバーボード２と、第１のスペーサボード３との積層を挟んで梱包具に組み立てる例である。第２のカバーボード２と、第１のスペーサボード３とは、開閉可能に連結されていてもよく、また、別個のボードであっても良い。もちろんそのほかの組合せが可能である。
【００２７】
以上、いずれの実施例においても、梱包具内には、ＣＤなどの物品を単に収納するだけでなく、第１のカバーボードと、第２のカバーボードとの間には、物品の説明書、オーダーシートなどの書面を封入することができる。
【実施例７】
【００２８】
図９に示す実施例は、１枚のボードに第２のカバーボード２、第１のカバーボード１、第１のスペーサボード３、第２のスペーサボード４の順に形成した梱包具において、第１のカバーボード１にも、第２のカバーボード２と同様に収納溝５ａを開口し、第２のカバーボード２と向き合う面側のボードの板面に、収納溝を覆うカバーフィルム６を貼り付けた例である。第１のカバーボード１のカバーフィルム６上に物品Ｍを置き、第１のカバーボード１上に第２のカバーボード２を折り重ね、その上に第１のスペーサボード３を折り重ね、更に第２のスペーサボード４を第１のカバーボード１の下面に折り曲げて図９（ｂ）に示すように第１，第２のカバーボードの両カバーフィルム６，６間に挟んだ物品Ｍを上下のスペーサボード３，４を含む４層のボードの厚みの範囲内に納める。なお、第１のカバーボード１と第２のカバーボード２との関係は必ずしも隣接位置には限らない。
【００２９】
図１０の例は、第１のカバーボード１と第２のカバーボード２との間に、第１のスペーサボード３、第２のスペーサボード４を配置した例である。この例では、図１０（ｂ）に示すように第１のスペーサボード３上に第１のカバーボード１を折り重ね、第２のスペーサボード４の上に第２のカバーボード２を折り重ねた後、第１のカバーボード１のカバーフィルム６上に物品Ｍを載せ、その上に第２のカバーボード２と第２のスペーサボード４との積層を折り重ねることによって、図１０（ｃ）に示すように物品Ｍは４層のボードの厚みの範囲内に納められる。なお、第２のカバーボード２、第１のカバーボード１、第１のスペーサボード３、第２のスペーサボード４は必ずしも１枚のボードに形成されている場合に限らない。
【００３０】
図１１は、個別のボードを積層して梱包具に組み立てる例である。この例においても第１、第２のカバーボード１，２の両カバーフィルム６，６間に挟んだ物品Ｍを上下のスペーサボード３，４を含む４層のボードの厚みの範囲内に納められる点は、図９，図１０の例と全く同じである。
【産業上の利用可能性】
【００３１】
本発明は、カバーボードの対を基本構成とし、梱包物品の厚みに応じてスペーサボードを組み合わせて梱包具を組み立てるものであり、スペーサボードを１層、又は２層以上更に付加することによって、収納物品の厚みの違いに対応することができ、各層のカバーボードの収納溝に収容された物品はカバーフィルムを透視して外部から観察でき、メール便として配送される収納物品を梱包具内に安定に固定でき、角張ることがなく、カバーフィルムに透明カバーフィルムを用いて収納物品の確認を容易に行うことができる。
【図面の簡単な説明】
【００３２】
【図１】（ａ）は、本発明の基本的構成を示す展開図、（ｂ）は（ａ）のＡ−Ａ線断面図である。
【図２】（ａ）は実施例１の梱包具に物品を梱包する要領を示す図、（ｂ）は物品を梱包する状態を示す図、（ｃ）は（ｂ）のＢ−Ｂ線断面図である。
【図３】（ａ）は実施例２の梱包具に物品を梱包する要領を示す図、（ｂ）は物品を梱包する状態の断面図である。
【図４】（ａ）は実施例３の梱包具に物品を梱包する要領を示す図、（ｂ）は物品を梱包した状態の梱包具の断面図である。
【図５】（ａ）は実施例４の梱包具の展開図、（ｂ）、（ｃ）は実施例４の梱包具に物品を梱包する要領を示す図である。
【図６】（ａ）は実施例５の梱包具の展開図、（ｂ）は実施例４の梱包具に物品を梱包する要領を示す図、（ｃ）物品を梱包した状態の梱包具の断面図である。
【図７】（ａ）は実施例６の第１の例を示す梱包具の分解図、（ｂ）は梱包時の断面図である。
【図８】実施例６の第２の例を示す図である。
【図９】（ａ）は実施例７の第１の例を示す展開図、（ｂ）は梱包時の断面図である。
【図１０】（ａ）は実施例７の第２の例を示す展開図、（ｂ）は梱包途中の折り曲げ要領を示す断面図、（ｃ）は梱包時の断面図である。
【図１１】（ａ）は実施例７の第３の例を示す展開図、（ｂ）は梱包時の断面図である。
【符号の説明】
【００３３】
１  第１のカバーボード
２  第２のカバーボード
３  第１のスペーサボード
４  第２のスペーサボード
５ａ，５ｂ  収納溝
５ｃ，５ｄ  受入溝  
６  カバーフィルム
７  蝶番
８  粘着テープ
９ａ，９ｂ  受入溝
【図１】
2006123922.tif 000003
【図２】
2006123922.tif 000004
【図３】
2006123922.tif 000005
【図４】
2006123922.tif 000006
【図５】
2006123922.tif 000007
【図６】
2006123922.tif 000008
【図７】
2006123922.tif 000009
【図８】
2006123922.tif 000010
【図９】
2006123922.tif 000011
【図１０】
2006123922.tif 000012
【図１１】
2006123922.tif 000013